(57)【要約】【課題】清掃部によるフィルムのクリーニング作業方向を簡単且つ容易に変更することが出来るフィルムスキャナーを提供する。【解決手段】ハウジング内にフィルムの装填部が備えられ、装填部に装填されるフィルムの画像を読み取るようにしたフィルムスキャナーにおいて、ハウジングには、フィルムをクリーニングするための清掃部を備えたクリーナが搭載されると共に、このクリーナの清掃部は、ハウジングに対する取り付け角度が変更自由であって、ハウジングに対する清掃部の取り付け角度の変更により、清掃部によるフィルムのクリーニング作業方向を変更可能とし、またハウジングには、クリーナを取り付けるための嵌合部が設けられ、クリーナは、この嵌合部に対して着脱自由としている。【選択図】  図２
2005020145.tif 000002
【特許請求の範囲】
【請求項１】
ハウジング内にフィルムの装填部が備えられ、装填部に装填されるフィルムの画像を読み取るようにしたフィルムスキャナーにおいて、
前記ハウジングには、フィルムをクリーニングするための清掃部を備えたクリーナーが搭載されると共に、このクリーナーの清掃部は、ハウジングに対する取り付け角度が変更自由であって、ハウジングに対する清掃部の取り付け角度の変更により、清掃部によるフィルムのクリーニング作業方向を変更可能としていることを特徴とするフィルムスキャナー。
【請求項２】
前記ハウジングには、クリーナーを取り付けるための嵌合部が設けられ、クリーナーは、前記嵌合部に対して着脱自由であることを特徴とする請求項１に記載のフィルムスキャナー。
【請求項３】
清掃部が、第１ブラシ体と、その長さ方向一端部が前記第１ブラシ体の長さ方向一端部に枢支された第２ブラシ体とから構成され、前記清掃部における第１ブラシ体と前記第２ブラシ体との枢支点が、清掃部によるフィルムのクリーニング作業方向を挟んだ左右の何れの位置にも位置変更可能であることを特徴とする請求項１または２に記載のフィルムスキャナー。
【発明の詳細な説明】
【０００１】
【発明の属する技術分野】
本発明は、撮影済みフィルムの画像を読み取るためのフィルムスキャナーに関する。
【０００２】
【従来の技術】
一般にこの種のフィルムスキャナーは、ハウジング内に、光源装置と、ラインＣＣＤセンサなどから構成される光電変換装置と、フィルムの装填部とが備えられ、フィルム画像のスキャニング時、装填部に装填されたフィルムを光源装置により照射すると共に、フィルムを透過して得られる透過光ビームを光電変換装置で光電変換するようにしている。
【０００３】
また以上の装置では、フィルムの表面に付着する塵埃などを事前に取り除くために、クリーナーが用いられる。
【０００４】
このクリーナーＡは、図９にも示すように、対向する一対のブラシ材から構成される清掃部Ｂがベース部材Ｃに組付けられて、清掃部Ｂを構成する一対のブラシ材間にフィルムＦを通すことで、ブラシ材でフィルムＦの表面に付着する塵埃などを除去するようにしている。（特許文献１参照）
【０００５】
【特許文献１】特開２００２−２３６３４６号
以上のクリーナーＡは、図９に概略的に示すように、スキャナーのハウジングＤに、別途、鉄材などの磁性材料から形成されたＬ字型のブラットＥを組み付けて、このブラケットＥにベース部材Ｃを磁力による吸着で固定するようにしている。
【０００６】
そして以上のクリーナーＡにより、フィルムのクリーニングを行なうに際して、作業者の好みやフィルムの長さなどにより、フィルムのクリーニング作業方向を変更したい場合には、図９の（ａ）若しくは図９の（ｂ）に示すように、ハウジングＤに対するブラケットＥの取り付け姿勢を任意変更した上で、クリーナーＡのベース部材ＣをブラケットＥの装着面Ｇに吸着させるようにしている。
【０００７】
【発明が解決しようとする課題】
しかしながら、以上のクリーナーＡを用いたフィルムスキャナーでは、例えばフィルムＦのクリーニング作業方向を水平方向から上下方向に変えるべく、ハウジングＤに対するクリーナーＡの取り付け姿勢を図９の（ａ）から図９の（ｂ）のように変更しようとすると、ブラケットＥをハウジングＤから一端取り外して、ブラケットＥのハウジングＤに対する取り付け姿勢を変更した上で、ブラケットＥを再度ハウジングＤに固定して、装着面ＧにクリーナーＡを固着しなければならず、その変更作業に手間を要する不具合がある。
【０００８】
また前述のごとく、クリーナーＡをハウジングＤに対して磁力により吸着させようとすると、ハウジングＤやクリーナーＡのベース部材が合成樹脂材料から形成されている場合は、図９に示すように、磁性材料から形成したブラケットＥなどを別途用意する必要があるのは勿論のこと、クリーナーＡのベース部材Ｃに磁石を組み込まねばならず、それだけ部品点数が増大する不具合がある。
【０００９】
本発明は以上の実情に鑑みて開発したものであって、目的とするところは、清掃部によるフィルムのクリーニング作業方向を簡単且つ容易に変更することが出来るフィルムスキャナーを提供する点にある。、
【００１０】
【課題を解決するための手段】
【００１１】
以上の目的を達成するために、請求項１に記載の発明は、ハウジング内にフィルムの装填部が備えられ、装填部に装填されるフィルムの画像を読み取るようにしたフィルムスキャナーにおいて、前記ハウジングには、フィルムをクリーニングするための清掃部を備えたクリーナーが搭載されると共に、このクリーナーの清掃部は、ハウジングに対する取り付け角度が変更自由であって、ハウジングに対する清掃部の取り付け角度の変更により、清掃部によるフィルムのクリーニング作業方向を変更可能としていることを特徴とするものである。
【００１２】
請求項２に記載の発明は、請求項１に記載のフィルムスキャナーにおいて、前記ハウジングには、クリーナーを取り付けるための嵌合部が設けられ、クリーナーは、前記嵌合部に対して着脱自由であることを特徴とするものである。
【００１３】
また請求項３に記載の発明は、請求項１または２に記載のフィルムスキャナーにおいて、清掃部が、第１ブラシ体と、その長さ方向一端部が前記第１ブラシ体の長さ方向一端部に枢支された第２ブラシ体とから構成され、前記清掃部における第１ブラシ体と前記第２ブラシ体との枢支点が、清掃部によるフィルムのクリーニング作業方向を挟んだ左右の何れの位置にも位置変更可能であることを特徴とするものである。
【００１４】
【発明の実施の形態】
図１〜図８は、本発明にかかるフィルムスキャナーの一実施形態を示したものであって、このフィルムスキャナー１は、ボックス状のハウジング２内に、光源装置（図示せず）、ラインＣＣＤセンサなどから構成される光電変換装置（図示せず）、フィルムの装填部（図示せず）などが搭載され、装填部に装填されるフィルムＦを光源装置により照射して、フィルムＦを透過して得られる透過光ビームを光電変換装置で光電変換し、画像のスキャニングを行うようにしている。
【００１５】
ハウジング２の前面側下部には、前方に向かって横長の箱状に突出するボックス部３が設けられ、このボックス部３の上面には、ハウジング２内のフィルム装填部にフィルムを搬入するための１３５フィルム用搬入路３１とＡＰＳフィルム用搬入路３２が設けられている。
【００１６】
またボックス部３の前端部上面で且つ１３５フィルム用挿入路３１の入口には、下方に窪む凹所から構成される嵌合部３３が設けられ、この嵌合部３３内の左右内側壁には、図８に示すように、水平方向に延びるプレート状のガイド片３４が突設されている。
【００１７】
この嵌合部３３には、後記するカバー体３５若しくはクリーナー４が嵌合により取り付けられるのであって、このカバー体３５及びクリーナー４は、嵌合部３３に対して取り外し自由となっている。
【００１８】
カバー体３５は、図４にも示すように、クリーナー４が取り外された嵌合部３３の凹所を覆うためのものであって、合成樹脂材料から形成されており、カバー体３５の左右外側壁には、図２にも示すように、ガイド片３４が突入可能なガイド孔３６が設けられ、このカバー体３５をボックス部３の前方から嵌合部３３内にスライドさせることで、ガイド孔３６にガイド片３４が嵌り込んで、嵌合部３３にカバー体３５が組み付けられるようにしている。
【００１９】
クリーナー４は、図５〜図７にも示すように、基本的にはフィルムをクリーニングするための清掃部５と、この清掃部５を支持するための合成樹脂製の支持体６とから構成されている。
【００２０】
清掃部５は、合成樹脂製の第１ブラシ体５１と、その長さ方向一端部が第１ブラシ体５１の長さ方向一端部に枢支される合成樹脂製の第２ブラシ体５２とから構成され、これら両ブラシ体５１・５２の対向面部には、それぞれブラシ材５１ａ・５２ａがライン状に植設されている。
【００２１】
そして第１ブラシ体５１の長さ方向一端には、図５、図６にも示すように、支持片５３が突設されて、この支持片５３の上端部両側面には、円柱状の枢軸５４が突設されている。
【００２２】
一方、第２ブラシ体５２の長さ方向一端部には、枢軸５４が嵌合可能な円形の枢支孔５５が開設され、この枢支孔５５への枢軸５４の嵌合により、第２ブラシ体５２が、第１ブラシ体５１に対して重なる位置（図５、図６において実線で示す位置）から９０度展開する位置（図５、図６において二点鎖線で示す位置）まで揺動可能であって、また第２ブラシ体５２は、第１ブラシ体５１に対して４５度展開する位置（図５、図６において一点鎖線で示す位置）と９０度展開する位置において仮保持されるようにしている。
【００２３】
また第１ブラシ体５１の長さ方向両端には、円柱状の枢軸５６が突設されると共に、第１ブラシ体５１の外周面には、フィルム傷つき防止用の保護材５７が周方向に貼り付けられている。
【００２４】
支持体６は、嵌合部３３の底壁に沿う断面Ｌ字状のベース板６１と、このベース板６１の長さ方向両端に立設する左右支持板６２とが備えられ、左右支持板６２の外側面側には、図７にも示すように、ガイド片３４が突入可能なガイド孔６３が設けられているのであって、この支持体６は、ボックス部３の前方から嵌合部３３内にスライドさせることで、ガイド孔６３にガイド片３４が嵌り込んで、嵌合部３３内に組みつけられるようにしている。
【００２５】
また支持板６２の上部には、第１ブラシ体５１に設けた枢軸５６が挿通支持される円形の支持孔６４と、支持孔６４の一部を支持板６２の上端縁に開口させて支持孔６４への枢軸５６の嵌め込み乃至支持孔６４からの枢軸５６の離脱を可能にする連通孔６５とが設けられている。
【００２６】
そして枢軸５６の支持孔６４への嵌め込みにより、清掃部５が、支持体６に対して、上方に立設する位置（図７において実線で示す位置）から横方向に９０度傾く位置（図７において二点鎖線で示す位置）の間において揺動可能に設けられて、嵌合部３３に取り付けられた支持体６に対する清掃部５の取り付け角度の変更により、清掃部６によるフィルムのクリーニング作業方向を、１３５フィルム用挿入路３１の挿入方向と同一方向である水平方向から１３５フィルム用挿入路３１の挿入方向と直交する方向である上下方向の間において変更可能としている。
【００２７】
尚、実施形態では、支持体６に対して清掃部５が上方に立設する位置（図７において実線で示す位置）と、上方から横方向に４５度傾斜する位置（図７において一点鎖線で示す位置）と、上方から横方向に９０度傾斜する位置（図７において二点鎖線で示す位置）において、清掃部５が支持体６に対して仮保持されるようにしている。
【００２８】
また清掃部５の枢軸５６は、連通孔６５を介して支持孔６４から離脱可能であって、例えば図５に示す状態から清掃部５を支持体６から一端取り外した後、図６に示すように、前記第１ブラシ体５１と前記第２ブラシ体５２との枢支点が清掃部５によるフィルムＦのクリーニング作業方向を挟んで逆方向に位置させた状態で、枢軸５６を連通孔６５を介して再度支持孔６４に嵌め込むことにより、支持体６に対する清掃部５の取り付け方向、換言すれば、第１ブラシ体５１に対する第２ブラシ体５２の開き勝手を図５に示す右開きから図６に左開きにするようにしている。
【００２９】
以上の構成からなるフィルムスキャナー１は、例えば１３５フィルムを用いてスキャニングを行なうに際して、先ず、清掃部５の支持体６に対する取り付け仕様を、オペレータの好みに応じて図５に示す右開き若しくは図６に左開きのいずれかを選択して、その取り付け仕様に応じて清掃部５を支持体６にセットした後、続いてクリーナー４を構成する支持体６をボックス部３の前方から嵌合部３３内に挿入して、ガイド孔６３にガイド片３４を嵌め込むことで、クリーナー４を嵌合部３３に取り付ける。
【００３０】
続いて、作業者の好みに応じて、枢軸５６を支点にして、清掃部５を支持体６に対して揺動させて、フィルムＦのクリーニング作業方向が所望の方向になるように清掃部５の姿勢に切り替えるのであって、例えばフィルムＦのクリーニング作業方向を１３５フィルム用挿入路３１の挿入方向と同一の水平方向としたい場合には、図７において実線で示すように、清掃部５を支持体６に対して上方に立ちあがるように位置させ、また例えばフィルムＦのクリーニング作業方向を１３５フィルム用挿入路３１の挿入方向と直交する上下方向としたい場合には、図７において二点鎖線で示すように、清掃部５を支持体６に対して横方向傾かせる。
【００３１】
そして更に第２ブラシ体５２を第１ブラシ体５１に対して４５度若しくは９０度展開し、スキャニングを行なうフィルムＦの端部を第１ブラシ体５１のブラシ材５１ａに沿わせた状態から第２ブラシ体５２を第１ブラシ体５１と重合する方向に揺動させて、第１、第２ブラシ体５１・５２のブラシ材５１ａ・５２ａでフィルムＦを挟み、この状態からフィルムＦをクリーナー４に対してクリーニング作業方向、即ち、清掃部５を支持体６に対して上方に立ちあがるように位置させた場合には水平方向に、また図７において二点鎖線で示すように、清掃部５を支持体６に対して横方向傾かせた場合には上下方向に移動させて、フィルムＦの表面に付着する塵埃などを両ブラシ材５１ａ・５２ａで除去しながら、清掃の終えたフィルムＦをその先端部から１３５フィルム用挿入路３１内に順次送り込んで、フィルムの画像をスキャニングするのである。
【００３２】
一方、クリーナー４を使用しない時には、嵌合部３３に取り付けられているクリーナー４をボックス部３に対して前方にスライドさせて、クリーナー４を嵌合部３３から取り外すと共に、嵌合部３３にカバー体３５を組み付けて、図４に示すように、嵌合部３３の凹所をカバー体３５で覆うのであり、これにより、嵌合部３３が外部に露呈しないので、見栄えがよくなるし、嵌合部３３の凹所内に塵埃などが溜まるのを防止することが出来る。
【００３３】
以上の実施形態では、クリーナー４のハウジング２への取り付けが、ハウジング２に設けられた嵌合部３３への嵌め込みにより行なうようにしているので、従来の磁力によりクリーナーをハウジングに吸着させる方法のように磁石を必要としないし、ハウジングなどを磁性材料から形成する必要もないのである。
【００３４】
また以上の実施形態では、嵌合部３３にクリーナー４をセットした状態からでも、そのクリーニング作業方向を自由にしかもワンタッチで変更することが出来るので、フィルムＦのクリーニング作業仕様の選択の自由度が広がる。
【００３５】
【発明の効果】
以上説明したように、請求項１に記載の発明によれば、ハウジング内にフィルムの装填部が備えられ、装填部に装填されるフィルムの画像を読み取るようにしたフィルムスキャナーにおいて、ハウジングには、フィルムをクリーニングするための清掃部を備えたクリーナーが搭載されると共に、このクリーナーの清掃部は、ハウジングに対する取り付け角度が変更自由であって、ハウジングに対する清掃部の取り付け角度の変更により、清掃部によるフィルムのクリーニング作業方向を変更可能としたことにより、クリーナーをハウジングにセットした状態からでも、清掃部のハウジングに対する取り付け角度を調整して、清掃部によるフィルムのクリーニング作業方向を簡単且つ容易に変更することが出来るので、フィルムのクリーニング作業性を高めることが出来る。
【００３６】
請求項２に記載の発明によれば、請求項１に記載のフィルムスキャナーのハウジングには、クリーナーを取り付けるための嵌合部が設けられ、クリーナーは、前記嵌合部に対して着脱自由としたことにより、請求項１に記載の発明の効果に加え、クリーナーをハウジングに磁力により吸着させる従来の取り付け仕様に比べて、磁石や磁性材料から形成したブラケットなどを必要としないので、それだけ部品点数も少なく出来る。
【００３７】
請求項３に記載の発明によれば、請求項１または２に記載のフィルムスキャナーの清掃部が、第１ブラシ体と、その長さ方向一端部が前記第１ブラシ体の長さ方向一端部に枢支された第２ブラシ体とから構成され、前記第１ブラシ体と前記第２ブラシ体との枢支点が、清掃部によるフィルムのクリーニング作業方向を挟んだ左右の何れの位置にも位置変更可能としたことにより、請求項１または２に記載の発明の効果に加えて、第２ブラシ体の第１ブラシ体に対する開き勝手がオペレータの使い勝手のよい方向に自由に変更することが出来るので、フィルムのクリーニング作業をより一層効率よく行なうことが出来る。
【図面の簡単な説明】
【図１】本発明にかかるフィルムスキャナーの斜視図。
【図２】同、要部を拡大して示す分解斜視図。
【図３】ボックス部の嵌合部にクリーナーを取り付けた状態を示す要部の拡大斜視図。
【図４】ボックス部の嵌合部にカバー体を取り付けた状態を示す要部の拡大斜視図。
【図５】クリーナーの正面図。
【図６】清掃部の開き勝手を変更したクリーナーの正面図。
【図７】クリーナーの側面図。
【図８】スキャナーのハウジングの要部を拡大して示す斜視図。
【図９】従来のフィルムスキャナーへのクリーナーの取り付け方法を示す説明図。
【符号の説明】
１      フィルムスキャナー
２      ハウジング
３      ボックス部
３３    嵌合部
４      クリーナー
５      清掃部
５１    第１ブラシ体
５２    第２ブラシ体
６      支持体
【図１】
2005020145.tif 000003
【図２】
2005020145.tif 000004
【図３】
2005020145.tif 000005
【図４】
2005020145.tif 000006
【図５】
2005020145.tif 000007
【図６】
2005020145.tif 000008
【図７】
2005020145.tif 000009
【図８】
2005020145.tif 000010
【図９】
2005020145.tif 000011